(57)【要約】【課題】一般消費者以外のタグの付け直が許容された特定の者のみがループ形状のロックを解除することを許容し、タグや商品の不正な取り替え行為が蔓延することを防ぐことができる封緘具の提供を目的とする。【解決手段】紐状体１０Ａと、該紐状体１０Ａの両端部に有する連結具１０Ｂとで構成し、上記連結具１０Ｂを、挿入孔２１を有するソケット２と、上記挿入孔２１に挿入可能な挿入体３とで構成し、上記ソケット２の上記挿入孔２１の内面に、係合部２３を形成し、上記挿入体３の外面に、上記係合部２３と係合する被係合部３３を形成し、上記挿入体３を上記係合部２３側へ付勢する付勢手段２４を、上記ソケット２の上記挿入孔２１の内面における上記係合部２３との対向部分に形成し、上記挿入体３を該付勢手段２４側へ押圧許容する押圧許容部２５を、上記ソケット２における上記付勢手段２４との対向部分に備えた。【選択図】図１
2011095554.tif 000002
【特許請求の範囲】
【請求項１】
紐状体と、該紐状体の両端部に有する連結具とで構成し、該連結具を連結して上記紐状体をループ形状にロックする封緘具であって、
上記連結具を、挿入孔を有するソケットと、上記挿入孔に挿入可能な挿入体とで構成し、
上記ソケットの上記挿入孔の内面に、上記挿入体を抜け止め可能に係合する係合部を形成し、
上記挿入体の外面に、上記係合部と係合する被係合部を形成し、
上記挿入体を上記係合部側へ付勢する付勢手段を、上記ソケットの上記挿入孔の内面における上記係合部との対向部分に形成し、
上記付勢手段の付勢力に抗して上記挿入体を該付勢手段側へ押圧許容する押圧許容部を、上記ソケットにおける上記付勢手段との対向部分に備えた
封緘具。
【請求項２】
上記押圧許容部を、上記係合部よりも挿入方向の奥側に形成した
請求項１に記載の封緘具。
【請求項３】
上記付勢手段を、上記係合部との係合を許容する上記被係合部の係合許容量以上の弾性変位量で形成した
請求項１、又は、２に記載の封緘具。
【請求項４】
請求項１から３のいずれか一項に記載の封緘具と、請求項１に記載の押圧許容部を通じて、上記挿入体を側方から押圧する押圧部を有する押圧治具を備えた
押圧治具付き封緘具。
【請求項５】
上記押圧部を、上記係合部の径内方向への突出長さ以上の長さで形成した
請求項４に記載の封緘具。
【発明の詳細な説明】
【技術分野】
【０００１】
この発明は、衣服、靴、鞄等の商品に取り付けるループ形状を形成する封緘具に関する。
【背景技術】
【０００２】
従来より、衣類全般や靴等の商品に封緘具が取り付けられている。
【０００３】
封緘具は、通常、商品やタグに通した後、ループ形状とする紐状体と、ループ形状とした状態で該紐状体の両端部をロックする連結具とで構成している。
【０００４】
しかし、従来の封緘具は、連結具を一度連結すると、不可逆的に固定され、ループ形状を解除することができなかった。
【０００５】
このため、タグの表示内容を誤るなどして変更したい場合、紐状体を切断するなどして変更したいタグを取り外し、新たなタグに交換する必要があった。このような場合、封緘具が無駄になるとともに、再度、紐状体をタグや商品に通したり、紐状体をループ形状としてロックする手間を要するという課題を有していた。
【０００６】
特に、工場などにおいては、一ロットにつき、多量のタグを衣服などに吊下げ取り付ける。このため、タグを変更するべく切断した封緘具は、廃棄することになり、多大な無駄が発生するという課題を有していた。
【０００７】
このような課題に対して下記特許文献１に記載の「アタッチ部材」が開示されている。  
上記「アタッチ部材」は、上記ループ形成材（１）の一端に、内部に係止部（４，４ａ）を備えた受孔（３）を有する受部（２）を備え、他端に前記受部（２）の受孔（３）に嵌装され、係止部（４，４ａ）と掛合する係合部（１０）を有する挿入部（８）を備え、前記受孔（３）の一部壁面をバネ性を有する可動片（７）として形成しているものである。
【０００８】
挿入部（８）を受孔（３）内に挿入すると、挿入部（８）に形成した係合部（１０）が受孔（３）の係止部（４，４ａ）と掛合されるため、抜け止めされるロック状態となる。可動片（７）を傾動させれば、係止部（４ａ）と係合部（１０）との掛合を解除することができ、挿入部（８）を受孔（３）から引抜くことが可能となる。
【０００９】
上記構成により、上記「アタッチ部材」は、受部（２）の受孔（３）に挿入部（８）を挿入し、ロック状態とした後でも可動片（７）を傾動させることで、挿入部（８）のロックを開放することができる。このため、上記「アタッチ部材」は、商品の取り付け部位やタグの種類を変えて再度、同一のものを使用することができるものである。
【００１０】
しかし、上記「アタッチ部材」は、受部（２）の一部に設けられた可動片（７）を傾動させるだけでロック解除できる。このため、店舗や工場の従業者などの関係者に限らず、一般の客でも挿入部（８）のロックを容易に解除して別の商品やタグに取り付けることが可能になるという問題点がある。
【００１１】
このようにして、商品の値札や高級ブランドのラベルが不正に交換されると消費者に対する信用が害されてしまうという問題が生じる。
【先行技術文献】
【特許文献】
【００１２】
【特許文献１】特開２００７−３２８２３５号公報
【発明の概要】
【発明が解決しようとする課題】
【００１３】
そこで本発明は、一般消費者には取り外しが困難であるとともに、関係者には、取り外しが容易であり、不正な取り替え行為を防止することができる封緘具の提供を目的とする。
【課題を解決するための手段】
【００１４】
本発明の封緘具は、紐状体と、該紐状体の両端部に有する連結具とで構成し、該連結具を連結して上記紐状体をループ形状にロックする封緘具であって、上記連結具を、挿入孔を有するソケットと、上記挿入孔に挿入可能な挿入体とで構成し、上記ソケットの上記挿入孔の内面に、上記挿入体を抜け止め可能に係合する係合部を形成し、上記挿入体の外面に、上記係合部と係合する被係合部を形成し、上記挿入体を上記係合部側へ付勢する付勢手段を、上記ソケットの上記挿入孔の内面における上記係合部との対向部分に形成し、上記付勢手段の付勢力に抗して上記挿入体を該付勢手段側へ押圧許容する押圧許容部を、上記ソケットにおける上記付勢手段との対向部分に備えたことを特徴とする。
【００１５】
上記付勢手段により、挿入孔に挿入した挿入体を係合部側へ付勢できるため、係合部と被係合部とを確実に係合させることができる。
【００１６】
適宜の押圧部材により押圧許容部を通じて上記挿入体を押圧することにより、上記挿入孔において係合部と被係合部との係合が解除される側へ上記挿入体をスライドさせて、該挿入体を挿入孔から容易に抜き出すことができる。
【００１７】
よって、封緘具を変更する場合でも、紐状体を切断するなどして廃棄する必要がなく、ループ形状をした紐状体のロックを解除してタグのみを新たなものに取り替えることができる。よって、封緘具を無駄にすることなく、タグの変更後も引き続き利用することができる。
【００１８】
一方、上記挿入体を上記挿入孔から抜くためには、押圧許容部を通じて適宜の押圧部材により上記挿入体を押圧して、係合部と被係合部との係合を解除することが必要になる。このため、係合部と被係合部との解除方法を知らず、適宜の押圧部材も有しない一般消費者は、係合部と被係合部との係合を容易に解除することができない。
【００１９】
よって、一般消費者には取り外しが困難であるとともに、関係者には、取り外しが容易であり、不正な取り替え行為を防止することができる封緘具を提供することができる。
【００２０】
この発明の態様として上記押圧許容部を、上記係合部よりも挿入方向の奥側に形成することができる。
【００２１】
上記構成により、挿入体の被係合部よりも先端部分を、上記押圧許容部を通じて側方から押圧することができる。このため、上記挿入体をその長さ方向の中途部分から基端部分にかけての部分を側方から押圧する場合のように、挿入体が撓んだり、傾いたりするおそれがなく、上記付勢手段の付勢力に抗して該付勢手段側へダイレクトに押圧することができる。
【００２２】
またこの発明の態様として、上記付勢手段を、上記係合部との係合を許容する上記被係合部の係合許容量以上に変位する弾性変位量で形成することができる。
【００２３】
上記構成により、上記係合部と上記被係合部との係合を確実に解除されるまで付勢手段をその付勢力に抗して弾性変形させることができる。よって、ソケットから挿入体を確実に抜くことができる。
【００２４】
またこの発明の態様として、上記封緘具と、上記押圧許容部を通じて、上記挿入体を側方から押圧する押圧部を有する押圧治具を備えた押圧治具付き封緘具を構成することができる。
【００２５】
上記構成により、押圧許容部を通じて、上記挿入体を上記押圧治具の押圧部により側方から押圧し、上記係合部と上記被係合部との係合を解除することができる。よって、封緘具を変更したい場合であっても、従業者等の特定の者が押圧治具で容易にループ形状を解除して、封緘具を交換することができる。
【００２６】
またこの発明の態様として、上記押圧部を、上記係合部の径内方向への突出長さ以上の長さで形成することができる。
【００２７】
上記構成によれば、押圧治具の押圧部により押圧許容部を通じて上記挿入体を側方から押圧し、上記係合部と上記被係合部との係合が解除されるまで確実に押圧することができる。  
よって、押圧治具によりループ形状をした紐状体のロックを容易に解除することができる。
【図面の簡単な説明】
【００２８】
【図１】本実施形態の封緘具の構成説明図。
【図２】本実施形態の封緘具の一部拡大断面図。
【図３】本実施形態の封緘具をループ形状にロックする手順を示す説明図。
【図４】本実施形態の封緘具のロックを解除する手順を示す説明図。
【図５】他の実施形態の封緘具の構成説明図。
【図６】他の実施形態の封緘具の構成説明図。
【図７】他の実施形態の封緘具の構成説明図。
【図８】他の実施形態の封緘具の構成説明図。
【発明を実施するための形態】
【００２９】
この発明の一実施形態を、以下図面を用いて説明する。  
なお、図１（ａ）は、領域Ｘを拡大した封緘具１０の正面図、図１（ｂ）は、後述するソケット２の一部断面図、図１（ｃ）は、図１（ｂ）中のＡ−Ａ線断面図、図１（ｄ）は、図１（ｂ）中のＢ−Ｂ線断面図を示す。図２は、後述するソケット２に挿入体３を挿入した直後の様子を示すとともに、ソケット２、挿入体３、及び、押圧治具４１の各部のサイズの関係を示す。
【００３０】
本実施形態における封緘具１０は、図１、図２に示すように、紐状体１０Ａと、該紐状体１０Ａの両端部に有する連結具１０Ｂとで構成されている。紐状体１０Ａは、綿や合成樹脂などの紐状の部材で形成され、連結具１０Ｂは、合成樹脂で形成されている。
【００３１】
連結具１０Ｂは、上記紐状体１０Ａをループ形状に連結してロックすることができ、挿入孔２１を有したソケット２と、上記挿入孔２１に挿入可能な挿入体３とで構成されている。
【００３２】
紐状体１０Ａは、撓み変形自在に可撓性を有して形成されている。
【００３３】
ソケット２は、挿入孔２１を有する円筒状に形成され、基部３４に対して突出した棒状の挿入体３が挿入可能に形成されている。
【００３４】
上記ソケット２の上記挿入孔２１の内周面２２には、上記挿入体３を抜け止め可能に係合する係合部２３が形成されている。係合部２３は、上記挿入体３の挿入方向Ｄ１へ向けて徐々に突出した可撓性を有する突片状に形成され、復元力を有している。
【００３５】
すなわち、係合部２３は、挿入体３の挿入口側に傾斜面を有し、挿入体３の挿入方向Ｄ１の奥側の面は、挿入方向Ｄ１に対して垂直か、係合部２３の基部から奥側へ突出する形状で釣針のかえしの如く形成されている。
【００３６】
一方、上記挿入体３の外周面には、係合部２３と係合する被係合部３３が形成されている。  
詳しくは、上記挿入体３は、上記紐状体１０Ａの長さ方向の一端側に連結された基部３４（図１参照）と、該基部３４に対して突出し、上記挿入孔２１に挿入される部分となる挿入部３０とで構成されている。
【００３７】
挿入部３０は、その軸方向の先端側外周面全体の一部分を他の部分と比較して細径となる細径部３１が形成されるとともに、軸方向の細径部３１よりも先端部分に、きのこ型形状で突出する先端頭部３２が形成されている。
【００３８】
さらに、先端頭部３２の基端部には、上記細径部３１の先端側から細径のまま先端頭部３２側へくり抜いたくり抜き形状で係合部２３と係合可能な被係合部３３が形成されている。
【００３９】
また、上記ソケット２の上記挿入孔２１の内周面２２における上記係合部２３と対向する対向部分であって、係合部２３の挿入方向Ｄ１の奥側近傍部分には、挿入孔２１に挿入した挿入体３を係合部２３側へ付勢する付勢突片部２４が形成されている。
【００４０】
付勢突片部２４は、上記挿入孔２１の内径方向であって係合部２３の突出方向とは逆方向、すなわち、挿入方向Ｄ１とは逆方向Ｄ２へ突出した可撓性を有した突片状に形成し、図２に示すように、被係合部３３における係合部２３との係合許容量（β）以上の弾性変位量（β’）となる関係で形成されている（β≦β’）。  
なお、付勢突片部２４の弾性変位量とは、付勢突片部２４が定常状態のときから圧縮状態まで弾性変形したときの変位量（β’）を示す。  
ここで、付勢突片部２４の定常状態とは、挿入部３０が上記挿入孔２１に挿入されておらず、付勢突片部２４に負荷がかかっていない状態を示し、付勢突片部２４の圧縮状態とは、挿入部３０の先端頭部３２が付勢突片部２４に接触し、ソケット２の挿入孔２１の内周面２２側へ圧縮している状態を示す。
【００４１】
付勢突片部２４の挿入方向Ｄ１の奥側の面は、基部から先端側へ向かって抜き取り方向へ突出する傾斜面で形成し、挿入部３０を抜く際には、引っ掛からない。
【００４２】
さらに、挿入部３０を上記挿入孔２１に挿入したとき、付勢突片部２４の付勢力を作用させるための条件として上記挿入孔２１の内径（φｄ）、上記係合部２３の径内方向への突出長さ（α）、付勢突片部２４の弾性変位量（β’）、上記挿入部３０の先端頭部３２の外径（φＤ）、との間に、φｄ−（α＋β’）＜φＤの関係が成り立つ必要がある。
【００４３】
さらにまた、図２に示すように、上記挿入孔２１は、上記係合部２３の径内方向への突出長さ（α）と、上記挿入部３０の先端頭部３２の外径（φＤ）との和以上の内径（φｄ）で形成されている（φｄ≧α＋φＤ）。
【００４４】
上記ソケット２における付勢突片部２４との対向部分であって、係合部２３よりも挿入方向Ｄ１の奥側近傍部分には、ソケット２の内側の挿入孔２１と外側とを連通する正面視円形の押圧許容連通孔２５を形成されている。押圧許容連通孔２５は、指が入らない小孔である。
【００４５】
また、この封緘具１０と押圧治具４１とで押圧治具付き封緘具１を構成している（図２参照）。押圧治具４１は、上記押圧許容連通孔２５を通じて上記挿入体３を側方から押圧するための治具であり、押圧許容連通孔２５に挿入可能な円筒状の押圧部４２と、該押圧部４２の一端側から円板状に形成した押圧付与部４３とで一体に構成している。押圧付与部４３は、例えば、親指の腹と略同じ大きさで親指を当接可能な平坦状で形成している。
【００４６】
上記押圧部４２は、上記係合部２３における上記被係合部３３との係合許容量（α）、すなわち、上記係合部２３の径内方向への突出長さ（α）以上の長さ（α’）で形成されている。
【００４７】
続いて上記構成の封緘具１０をループ形状にロックする手順について図２、図３（ａ）から（ｄ）を用いて説明する。  
なお、封緘具１０は、適宜、紐状体１０Ａを商品やタグに通した状態でループ形状にロックするが、その図示は省略するものとする。また、図３（ａ）から（ｄ）は、封緘具１０をループ形状にロックする手順を説明する説明図である。  
まず、図２、図３（ａ）に示すように挿入体３をソケット２の挿入孔２１に挿入していく。
【００４８】
挿入体３における先端頭部３２が挿入方向Ｄ１における係合部２３、付勢突片部２４を有する部分を通過する際に、先端頭部３２は、きのこ型（半球状）であるから図３（ｂ）に示すように、係合部２３をソケット２の挿入孔２１の内周面２２側へ撓み変形させる。これにより、図３（ｃ）に示すように、挿入体３の先端頭部３２を、被係合部３３、付勢突片部２４よりも奥側へ挿入することができる。
【００４９】
挿入体３の先端頭部３２を被係合部３３、付勢突片部２４よりも挿入方向Ｄ１の奥へ挿入すれば、被係合部３３、付勢突片部２４は、挿入体３の先端頭部３２よりも後方側の外周面に当接するように復元（付勢）する。
【００５０】
よって、図３（ｄ）に示すように、挿入体３をソケット２から抜こうとすれば、係合部２３が被係合部３３に係合し、挿入体３が抜け出ることを確実に阻止することができる。
【００５１】
しかも、付勢突片部２４は、挿入体３を係合部２３の側へ付勢するため、挿入体３に形成した被係合部３３と、係合部２３とをしっかりと係合した状態に保つことができる。
【００５２】
続いてループ形状をした封緘具１０のロックを解除する手順について図４（ａ）から（ｄ）を用いて説明する。  
なお、図４（ａ）から（ｄ）は、ループ形状とした封緘具１０のロックを解除する手順を説明する説明図である。
【００５３】
図４（ａ）に示すように、押圧治具４１の押圧部４２を押圧許容連通孔２５を通じて挿入孔２１に挿入し、図４（ｂ）に示すように、指先などで（図示せず）押圧付与部４３をソケット２側へ押圧することにより、押圧部４２により挿入体３を側方から付勢突片部２４の付勢力に抗して該付勢突片部２４側へ押圧する。
【００５４】
上記押圧部４２は、係合部２３の係合許容量（α）以上の長さ（α’）で形成されているため（図２参照）、図４（ｃ）に示すように、係合部２３と被係合部３３との係合が確実に解除されるまで挿入孔２１において挿入体３を移動させることができる。
【００５５】
よって、図４（ｄ）に示すように、挿入体３をソケット２の挿入孔２１から真直ぐ抜けば、容易に抜き出すことができ、ループ形状の封緘具１０のロックを解除することができる。
【００５６】
上述した封緘具１０は、以下の作用、効果を得ることができる。  
上記挿入体３を上記挿入孔２１に挿入するだけで、係合部２３と被係合部３３とを係合することができ、封緘具１０をループ形状にロックすることができる（図３（ａ）〜（ｄ）参照）。
【００５７】
上記付勢突片部２４により、挿入孔２１に挿入した挿入体３を係合部２３側へ付勢できるため、係合部２３と被係合部３３とを確実に係合した状態に保つことができる（図３（ｄ）参照）。
【００５８】
上記挿入孔２１に挿入された上記挿入体３を、押圧許容連通孔２５を通じて例えば、押圧治具４１などの適宜の押圧部材で押圧することにより、上記挿入孔２１において挿入体３を係合部２３と被係合部３３との係合が解除するまで側方へスライドさせることができ、該挿入体３を挿入孔２１から容易に抜き出すことができる（図４（ａ）〜（ｄ）参照）。
【００５９】
よって、ループ形状をした紐状体１０Ａのロックを解除することができるため、タグの表示内容を変更する必要がある場合でも、従来のように封緘具１０自体を取り替える必要がなく、タグのみを新たなものに取り替えることができる。よって、封緘具を無駄にすることなく、タグの変更後も引き続き利用することができる。
【００６０】
一方、上記挿入体３を上記挿入孔２１から抜くためには、押圧許容連通孔２５を通じて、例えば、押圧治具４１などの適宜の押圧部材により挿入体３を側方から押圧して、係合部２３と被係合部３３との係合を解除することが要求される。
【００６１】
このため、例えば、上記挿入体３を押圧するための専用の押圧部材を保持していない一般消費者は、上記挿入体３を押圧し、上記挿入孔２１において係合部２３と被係合部３３との係合を容易に解除することができない。
【００６２】
よって、商品の値札や高級ブランドのラベル交換といった不正行為を防ぐことができ、一般消費者に対するタグの表示内容の信用を確保することができる。
【００６３】
また、上記押圧許容連通孔２５を、上記係合部２３よりも挿入方向Ｄ１の奥側に形成することにより、押圧治具４１の押圧部４２により上記押圧許容連通孔２５を通じて挿入体３の先端頭部３２を側方（付勢突片部２４の対向位置）から押圧することができる。
【００６４】
このように、挿入体３の先端頭部３２を押圧することにより、例えば、上記挿入体３の長さ方向の中途部分を押圧する場合のように、挿入体３が撓んだり傾いたりするおそれがなく、挿入体３を上記付勢突片部２４の付勢力に抗して該付勢突片部２４側へ向けて効果的に押圧することができる。
【００６５】
さらにまた、押圧治具４１の押圧部４２は、上記係合部２３における上記被係合部３３との係合許容量（α）以上の長さ（α’）で形成されているため（α’＞α）（図２参照）、押圧許容連通孔２５を通じて、上記挿入体３を側方から押圧部４２により押圧し、係合部２３と被係合部３３との係合が解除されるまで確実に押圧することができる。  
よって、押圧治具４１により容易にループ形状をした紐状体１０Ａのロックを解除することができる。、
また、付勢突片部２４は、上記被係合部３３における上記係合部２３との係合許容量（β）以上の弾性変位量（β’）で形成されている（β≦β’）。
【００６６】
このため、挿入体３を付勢突片部２４の側へ押圧すれば、上記係合部２３と上記被係合部３３との係合が確実に解除されるまで付勢突片部２４をその付勢力に抗して弾性変形させることができる。
【００６７】
よって、ソケット２から挿入体３を確実に抜くことができる。
【００６８】
続いて、他の実施形態の押圧治具付き封緘具１Ａ，１Ｂ，１Ｃ，１Ｄ，１Ｅ，１Ｆについて説明する。  
但し、以下で説明する押圧治具付き封緘具封緘具１Ａ，１Ｂ，１Ｃ，１Ｄ，１Ｅ，１Ｆの構成のうち、上述した実施形態における押圧治具付き封緘具封緘具１と同様の構成については、同一の符号を付して、その説明を省略する。
【００６９】
本実施形態の押圧治具付き封緘具封緘具１Ａは、図５に示すように、封緘具１１と押圧治具４８とで構成し、該押圧治具４８には、親指などの指先を差し込んで保持可能な環状の環状保持部４４が形成されている。詳しくは、環状保持部４４は、押圧付与部４３における押圧部４２と反対側の面の中央部分に接続部４５を介して備えている。
【００７０】
上記構成により、押圧治具４８により挿入体３を押圧する際には、例えば、親指などの指の腹が押圧付与部４３側の方向へ向くよう指先を上記環状保持部４４に挿入して嵌め込む。その状態で、親指の指先を、押圧部４２が押圧許容連通孔２５に挿入した状態で押圧することで、押圧部４２により挿入体３を容易に押圧することができ、ループ形状をした封緘具１１のロックをスムーズに解除することができる。  
なお、押圧治具４１を保持するための構成としては、環状保持部４４に限らず、例えば、指先で摘める大きさの適宜の形状で形成してもよい。
【００７１】
さらにまた、他の実施形態の押圧治具付き封緘具封緘具１Ｂについて説明する。  
本実施形態の押圧治具付き封緘具封緘具１Ｂには、図６に示すように、封緘具１２を備え、該封緘具１２のソケット２の内周面に形成した付勢突片部４６は、その先端部分を屈曲して形成した屈曲片４７を有した逆への字型で形成されている。なお、図６では、押圧治具を省略している。
【００７２】
詳しくは、付勢突片部４６は、挿入孔２１の中心側であって挿入方向Ｄ１と逆方向Ｄ２へ向けて突出し、その中途部分を挿入孔２１の内周面２２の側へ向けて屈曲した形状で形成されている。付勢突片部４６の挿入孔２１の内周面２２へ向けて突出した突出部分を、上記屈曲片４７として形成されている（図６中の領域Ｘの拡大図参照）。
【００７３】
上記構成により、挿入体３を挿入孔２１に挿入すると、挿入体３の先端頭部３２は、付勢突片部４６の中でも上記屈曲片４７に当接するため、挿入孔２１において付勢突片部４６が不測に反り返り先端頭部３２に巻き込まれることがなく、挿入体３の先端頭部３２を付勢突片部４６よりも奥側へ挿入することができる。
【００７４】
さらに、付勢突片部４６の基端部だけでなく屈曲片４７の先端部が挿入孔２１の内周面２２に接触した状態となるため、付勢突片部４６の基端部と付勢突片部４６の先端部との２点で支持した状態となり、挿入体３を屈曲片４７により係合部２３の側へしっかりと付勢することができる。
【００７５】
また、他の実施形態の押圧治具付き封緘具封緘具１Ｃについて図７（ａ），（ｂ）を用いて説明する。  
図７（ａ）は、連結具１０Ｂの断面図であり、図７（ｂ）は、後述する押圧許容押し込み片２６を正面側から視た連結具１０Ｂの側面図である。
【００７６】
本実施形態の押圧治具付き封緘具封緘具１Ｃは、封緘具１３と押圧治具４８とで構成し、該封緘具１３は、上記ソケット２に押圧許容連通孔２５を形成せず、該押圧許容連通孔２５に相当する部分を正面視正方形の一辺を除く全周をコの字型に切り欠いた押圧許容押し込み片２６を形成している。
【００７７】
押圧許容押し込み片２６を上記ソケット２の外側から例えば、図７（ａ）に示した押圧治具４８のような適宜の押圧部材で押圧すると、押圧許容押し込み片２６は、挿入孔２１の側へ押し込むことができる。よって、押圧許容押し込み片２６ごと挿入部３０の先端頭部３２を押圧して、係合部２３と被係合部３３との係合を解除することができる。
【００７８】
本発明の押圧治具付き封緘具は、上述した実施形態に限らず、その他にも様々な実施形態で形成することができる。
【００７９】
例えば、押圧治具付き封緘具１Ｄは、図８（ａ１），（ｂ１），（ｃ１）に示すように、封緘具１４と押圧治具４８Ｄとで構成し、封緘具１４は、上記ソケット２の外周面に形成した押圧許容連通孔２５Ｄを上述したように正面視円形ではなく正面視三角形状で形成している。  
なお、図８（ａ１）は、押圧許容連通孔２５Ｄを正面側から視た連結具１０Ｂの側面図である。図８（ｂ１）は、ソケット２の押圧許容連通孔２５Ｄに押圧治具４８Ｄを差し込む直前の様子を示す説明図であり、図８（ｃ１）は、図８（ｂ１）のＡ−Ａ線拡大端面図である。
【００８０】
一方、押圧治具４８Ｄは、図８（ｂ１），（ｃ１）に示すように、正面視三角形状の押圧許容連通孔２５Ｄに挿通可能に押圧部４２を断面視三角形状で構成している。
【００８１】
上記構成により、例えば、爪楊枝や針など身近にある円柱状の細長い棒状部材（図示せず）を押圧許容連通孔２５Ｄに差し込もうとしても円柱状の棒状部材の先端部分が押圧許容連通孔２５Ｄの周縁部に干渉するため、円柱状の棒状部材が不測に押圧許容連通孔２５Ｄに差し込まれることを阻止することができる。  
これにより、不測に円柱状の棒状部材により、係合部２３と被係合部３３との係合が解除され、挿入体３が不測に挿入孔２１から抜け出ることを防ぐことができる。
【００８２】
さらに、押圧治具付き封緘具１Ｅは、図８（ａ２），（ｂ２），（ｃ２），（ｃ２’）に示すように、封緘具１５と押圧治具４８Ｅとで構成し、封緘具１５は、上記ソケット２の外周面に形成した押圧許容連通孔２５Ｅを、ソケット２の周方向に長い正面視長方形状で形成してもよい。  
なお、図８（ａ２）は、押圧許容連通孔２５Ｅを正面側から視た連結具１０Ｂの側面図である。図８（ｂ２）は、ソケット２の押圧許容連通孔２５Ｅに押圧治具４８Ｅを差し込む直前の様子を示す説明図であり、図８（ｃ２）は、押圧部４２の先端が平坦である場合の図８（ｂ２）のＡ−Ａ線拡大端面図であり、図８（ｃ２’）は、押圧部４２の先端が凹状である場合の図８（ｂ２）のＡ−Ａ線拡大端面図である。
【００８３】
一方、押圧治具４８Ｅは、正面視長方形状の押圧許容連通孔２５Ｅに挿通可能に押圧部４２，４２’を断面視長方形状で構成している。
【００８４】
さらに、押圧部の先端部分は、図８（ｃ２）で示した押圧部４２のように先端部を平坦状で構成したもの、或いは、図８（ｃ２’）で示した押圧部４２’のように先端部を挿入体３の先端頭部３２の円筒状の外周面に面接触状態で接触するよう円弧状に凹んだ形状で構成したものであってもよい。
【００８５】
特に、押圧部４２’の先端部分を円弧状に凹んだ形状で構成することにより、押圧部４２’を押圧許容連通孔２５Ｅに差し込んだとき、該押圧部４２’の先端部分が挿入体３の先端頭部３２の外周面に面接触状態で接触し、挿入体３を側方から均等に力が伝わるよう押圧できるため、確実、且つ、容易に係合部２３と被係合部３３との係合を解除することができる。
【００８６】
よって、係合部２３を、より撓み変形し難いよう形成し、被係合部３３との係合具合を強くすることができ、より挿入体３が挿入孔２１から不測に抜け難くすることができる。
【００８７】
同時に、意図的に挿入体３を挿入孔２１から抜き出す際には、上述した押圧治具４８Ｅを通じて挿入体３を効率的に押圧することができるため、確実に係合部２３と被係合部３３との係合を容易に解除することができ、スムーズに挿入体３を抜き出すことができる。
【００８８】
以上、詳述したように、押圧許容連通孔は、正面視三角形状に限らず、その他にも例えば、図８（ａ３）に示すように、正面視六角形状などの多角形状、或いは、図示しないが楕円形状など、身近にある部材では差込むことができないような特殊形状で形成することができる。
【００８９】
同様に押圧部材についても、例えば、図８（ｂ３），（ｃ３）に示すように、押圧部材４８Ｆの押圧部４２は、上述した押圧許容連通孔２５Ｆに挿通可能に、押圧許容連通孔２５Ｆの正面視六角形状に応じた断面視六形状で形成するなど、様々な断面視形状で形成することができる。
【００９０】
上述した実施形態と、この発明の構成との対応において、
付勢突片部２４，４６は、付勢手段に対応し、
押圧許容連通孔２５，２５Ｄ，２５Ｅ，２５Ｆ、及び、押圧許容押込み片２６は、押圧許容部に対応するものとする。
【符号の説明】
【００９１】
１，１Ａ，１Ｂ，１Ｃ，１Ｄ，１Ｅ，１Ｆ…押圧治具付き封緘具封緘具
１０，１１，１２，１３，１４，１５，１６…封緘具
１０Ａ…紐状体
１０Ｂ…連結具
２…ソケット
３…挿入体
２１…挿入孔
２２…挿入孔の内周面
２３…係合部
２４，４６…付勢突片部
２５，２５Ｄ，２５Ｅ，２５Ｆ…押圧許容連通孔
２６…押圧許容押込み片
３３…被係合部
４１，４８，４８Ｄ，４８Ｅ，４８Ｅ…押圧治具
４２，４２’…押圧部
Ｄ１…挿入方向
【図１】
2011095554.tif 000003
【図２】
2011095554.tif 000004
【図３】
2011095554.tif 000005
【図４】
2011095554.tif 000006
【図５】
2011095554.tif 000007
【図６】
2011095554.tif 000008
【図７】
2011095554.tif 000009
【図８】
2011095554.tif 000010